(57)【要約】  【課題】  不定形サイズの原稿の画像を適切なサイズの用紙上に形成すること。  【解決手段】  各種設定入力を受け付け（Ｓ１１）原稿の幅サイズを検知する（Ｓ１２）。シンクロカット指定であるか否かを判断し、シンクロカット指定である場合（Ｓ１３；Ｙ）、用紙指定変倍機能の指定がされているか否かを判断する。用紙指定変倍機能の指定がされている場合（Ｓ１４；Ｙ）、変倍率αを算出する（Ｓ１５）。原稿の読み取り処理を実行し（Ｓ１６）、画像処理を実行する（Ｓ１７）。上余白が存在するか否かを判断し、存在する場合（Ｓ１８；Ｙ）、余白指定された長さ分だけロール紙を送り（Ｓ１９）、画像形成処理を実行する（Ｓ２０）。下余白が存在するか否かを判断し、存在する場合（Ｓ２１；Ｙ）、余白指定された長さ分だけロール紙を送る（Ｓ２２）。ロール紙を切断し（Ｓ２３）、処理を終了する。  【選択図】  図２
2006072113.tif 000002
【特許請求の範囲】
【請求項１】
原稿の主走査方向の長さを検出する原稿幅検出手段と、
ロール紙の幅サイズの指定を受け付ける用紙幅受付手段と、
前記ロール紙の長さ方向のカット位置の指定を受け付ける用紙長受付手段と、
前記原稿の画像を読み取る画像読取手段と、
原稿画像の変倍率α＝ｂ／ａ（但し、前記原稿幅検出手段で検出された原稿幅をａとし、前記用紙幅受付手段で受け付けられた用紙幅をｂとする）を算出する変倍率算出手段と、
前記画像読取手段で読み取られた画像のサイズを、主走査方向および副走査方向ともに前記変倍率α倍する第１の変倍処理手段と、
前記第１の変倍処理手段で処理された画像を、前記用紙幅受付手段で受け付けられた幅サイズのロール紙に形成する画像形成手段と、
前記用紙長受付手段で受け付けられたカット位置で前記ロール紙を切断する切断手段と、
を備え、
前記用紙長受付手段は、前記ロール紙のカット位置として前記原稿の副走査方向の長さの前記変倍率α倍の長さを指定するシンクロカット指定、または、前記ロール紙のカット位置として任意の長さを指定するフリーカット指定を受け付けることを特徴とする画像形成装置。
【請求項２】
原稿の主走査方向の長さを検出する原稿幅検出手段と、
ロール紙の幅サイズの指定を受け付ける用紙幅受付手段と、
前記ロール紙の長さ方向のカット位置の指定を受け付ける用紙長受付手段と、
前記原稿の画像を読み取る画像読取手段と、
原稿画像の変倍率α＝ｂ／ａ（但し、前記原稿幅検出手段で検出された原稿幅をａとし、前記用紙幅受付手段で受け付けられた用紙幅をｂとする）を算出する変倍率算出手段と、
前記画像読取手段で読み取られた画像のサイズを、主走査方向および副走査方向ともに前記変倍率α倍する第２の変倍処理手段と、
用紙の副走査方向の両端に設ける余白の指定を受け付ける余白受付手段と、
前記余白受付手段で受け付けられた余白指定に基づいて、前記第２の変倍処理手段で処理された画像に対して余白を設定する余白設定手段と、
前記余白設定手段で処理された画像を、前記用紙幅受付手段で受け付けられた幅サイズのロール紙に形成する画像形成手段と、
前記用紙長受付手段で受け付けられたカット位置で前記ロール紙を切断する切断手段と、
を備え、
前記用紙長受付手段は、前記ロール紙のカット位置として前記余白設定手段で処理された画像の副走査方向の長さを指定するシンクロカット指定、または、前記ロール紙のカット位置として任意の長さを指定するフリーカット指定を受け付けることを特徴とする画像形成装置。
【請求項３】
前記余白受付手段は、各端部に設ける余白の長さを個々に指定する上下余白指定、または、両端部に設ける余白の長さの合計を指定する合計余白指定を受け付けることを特徴とする請求項２記載の画像形成装置。
【請求項４】
前記用紙長受付手段で前記フリーカット指定を受け付けた場合に、前記第１の変倍処理手段で処理された画像の副走査方向の長さ、または、前記余白設定処理手段で処理された画像の副走査方向の長さと、前記フリーカット指定で指定された長さと、を比較する比較手段を備え、
前記比較手段において、前記フリーカット指定で指定された長さが、前記第１の変倍処理手段で処理された画像の副走査方向の長さ、または、前記余白設定処理手段で処理された画像の副走査方向の長さよりも短いと判断された場合、用紙サイズが小さすぎる旨の警告を出力し、画像形成処理を続行するか否かの選択を促すことを特徴とする請求項１、請求項２または請求項３記載の画像形成装置。
【発明の詳細な説明】
【技術分野】
【０００１】
本発明は、画像を用紙等の媒体上に形成する画像形成装置に関し、特に、原稿の画像をロール紙上に形成する複写装置などの画像形成装置に関する。
【背景技術】
【０００２】
近年、スキャナ装置を用いて原稿画像を読み取りデジタルデータに変換して入力情報を作成し、作成されたデジタル入力情報に基づいて出力画像を形成するデジタル複写装置が普及してきている。
デジタル複写装置には、入力された画像データに様々な加工・処理を施すことができる機能が搭載されている。例えば、画像データを反転する機能や複数の画像データを集約して出力する機能、画像データを複数枚の用紙に分散させて出力する機能などが知られている。
また、下記の特許文献に記載されているような、転写紙のサイズに合わせて原稿画像を縮小／拡大する用紙指定変倍機能を搭載した装置も提案されている。
【０００３】
【特許文献１】特開２００２−２４４５００公報
【０００４】
特許文献１には、不定形サイズの原稿の画像に対して変倍処理を施して、定形サイズの用紙上に転写する技術が提案されている。詳しくは、原稿の長さ情報と、指定された定形サイズ用紙のサイズ情報とに基づいて画像形成倍率を設定し、この画像形成倍率を用いて原稿画像に画像処理を施す。そして、処理された画像を指定された定形サイズの用紙上に形成する。
【発明の開示】
【発明が解決しようとする課題】
【０００５】
上述したような、従来の画像形成装置における用紙指定変倍機能の利用時には、転写紙が定形サイズでカットされるようになっていた。
そのため、原稿の副走査方向の長さが定形サイズよりも短い場合には、画像形成後の転写紙に多くの余白が存在してしまう。また、原稿の副走査方向の長さが定形サイズよりも長い場合には、画像が転写紙からはみ出してしまう。
即ち、不定形サイズの原稿に対して用紙指定変倍機能を用いた場合には、適切な画像形成処理が行われない恐れがあった。
そこで本発明は、このような不具合の発生を抑制するために、不定形サイズの原稿の画像を適切なサイズの用紙上に形成することができる画像形成装置を提供することを目的とする。
【課題を解決するための手段】
【０００６】
請求項１記載の発明では、原稿の主走査方向の長さを検出する原稿幅検出手段と、ロール紙の幅サイズの指定を受け付ける用紙幅受付手段と、前記ロール紙の長さ方向のカット位置の指定を受け付ける用紙長受付手段と、前記原稿の画像を読み取る画像読取手段と、原稿画像の変倍率α＝ｂ／ａ（但し、前記原稿幅検出手段で検出された原稿幅をａとし、前記用紙幅受付手段で受け付けられた用紙幅をｂとする）を算出する変倍率算出手段と、前記画像読取手段で読み取られた画像のサイズを、主走査方向および副走査方向ともに前記変倍率α倍する第１の変倍処理手段と、前記第１の変倍処理手段で処理された画像を、前記用紙幅受付手段で受け付けられた幅サイズのロール紙に形成する画像形成手段と、前記用紙長受付手段で受け付けられたカット位置で前記ロール紙を切断する切断手段と、を備え、前記用紙長受付手段は、前記ロール紙のカット位置として前記原稿の副走査方向の長さの前記変倍率α倍の長さを指定するシンクロカット指定、または、前記ロール紙のカット位置として任意の長さを指定するフリーカット指定を受け付けることにより前記目的を達成する。
【０００７】
請求項２記載の発明では、原稿の主走査方向の長さを検出する原稿幅検出手段と、ロール紙の幅サイズの指定を受け付ける用紙幅受付手段と、前記ロール紙の長さ方向のカット位置の指定を受け付ける用紙長受付手段と、前記原稿の画像を読み取る画像読取手段と、原稿画像の変倍率α＝ｂ／ａ（但し、前記原稿幅検出手段で検出された原稿幅をａとし、前記用紙幅受付手段で受け付けられた用紙幅をｂとする）を算出する変倍率算出手段と、前記画像読取手段で読み取られた画像のサイズを、主走査方向および副走査方向ともに前記変倍率α倍する第２の変倍処理手段と、用紙の副走査方向の両端に設ける余白の指定を受け付ける余白受付手段と、前記余白受付手段で受け付けられた余白指定に基づいて、前記第２の変倍処理手段で処理された画像に対して余白を設定する余白設定手段と、前記余白設定手段で処理された画像を、前記用紙幅受付手段で受け付けられた幅サイズのロール紙に形成する画像形成手段と、前記用紙長受付手段で受け付けられたカット位置で前記ロール紙を切断する切断手段と、を備え、前記用紙長受付手段は、前記ロール紙のカット位置として前記余白設定手段で処理された画像の副走査方向の長さを指定するシンクロカット指定、または、前記ロール紙のカット位置として任意の長さを指定するフリーカット指定を受け付けることにより前記目的を達成する。
【０００８】
請求項３記載の発明では、請求項２記載の発明において、前記余白受付手段は、各端部に設ける余白の長さを個々に指定する上下余白指定、または、両端部に設ける余白の長さの合計を指定する合計余白指定を受け付ける。
【０００９】
請求項４記載の発明では、請求項１、請求項２または請求項３記載の発明において、前記用紙長受付手段で前記フリーカット指定を受け付けた場合に、前記第１の変倍処理手段で処理された画像の副走査方向の長さ、または、前記余白設定処理手段で処理された画像の副走査方向の長さと、前記フリーカット指定で指定された長さと、を比較する比較手段を備え、前記比較手段において、前記フリーカット指定で指定された長さが、前記第１の変倍処理手段で処理された画像の副走査方向の長さ、または、前記余白設定処理手段で処理された画像の副走査方向の長さよりも短いと判断された場合、用紙サイズが小さすぎる旨の警告を出力し、画像形成処理を続行するか否かの選択を促す。
【発明の効果】
【００１０】
本発明によれば、ロール紙のカット位置の指定を受け付けることにより、原稿画像を変倍した場合であっても、ユーザの希望する形状（サイズ）の転写紙上に原稿画像を形成することができる。
【発明を実施するための最良の形態】
【００１１】
以下、本発明の好適な実施の形態について、図１から図４を参照して詳細に説明する。
なお、本実施の形態では、定形サイズにカットされたカット紙、およびロール紙が転写紙としてセットされている画像形成装置について説明する。
図１は、本発明の実施の形態に係る画像形成装置の構成を示したブロック図である。
この画像形成装置は、操作表示部１、原稿搬送部２、原稿読み取り部３、原稿画像記憶部４、転写紙搬送部５、画像処理部６、作像部７、転写紙選択部８、定着部９、原稿幅検知部１０、転写紙幅検知部１１、原稿レジスト検知部１２、転写紙長検知部１３、ロール紙カット部１４、変倍率設定部１５、上余白設定部１６、余白計算部１７、転写紙副走査長計算比較部１８、およびこれら各部に対して相互に信号の授受を行うことで画像形成装置全体の制御を行うシステム制御部２０を備えている。
【００１２】
操作表示部１は、ユーザが画像形成装置の持つ機能を設定するためのユーザインタフェース部である。
原稿搬送部２は、原稿を原稿読み取り部３へ搬送し、読み取り終えた原稿を排出する。  原稿読み取り部３は、原稿を露光し、原稿に書かれている内容を読み取り、画像の濃淡と画像位置の情報をデジタル信号に変換する。
原稿画像記憶部４は、原稿読み取り部３で変換されたデジタル信号を記憶する。
転写紙搬送部５は、転写紙を給紙ロール、給紙トレイ、手差しトレイから給紙し、定着し終えた転写紙を排出する。
画像処理部６は、原稿読み取り部３から送られてくるデジタル信号に処理を行う。
作像部７は、画像処理部６で処理された画像を感光体ドラムを媒体にして転写紙にトナー画像を転写する。
【００１３】
転写紙選択部８は、複数ある用紙の中から転写する用紙を選択する。
定着部９は、転写紙に乗ったトナーを高い温度と圧力で転写紙に圧着させる。
原稿幅検知部１０は、原稿の幅を検知する。
転写紙幅検知部１１は、転写紙の幅を検知する。
原稿レジスト検知部１２は、原稿の先端でオン状態になり、後端でオフ状態となることで、原稿の読み取り開始と終了をトリガー（タイミング調整）する。
転写紙長検知部１３は、転写紙の長さを検知する。
ロール紙カット部１４は、転写紙としてロール紙が選択された場合に、指定された長さでロール紙を切断する。
変倍率設定部１５は、原稿の主走査幅と転写紙の主走査幅を比較し、変倍率を決定する。
上余白設定部１６は、用紙指定変倍で生ずる余白の設定をする。
余白計算部１７は、上余白が割合で設定されていた場合、転写紙の副走査長から上余白の値を計算する。
転写紙副走査長計算比較部１８は、［原稿副走査長×変倍率α］を計算し設定した副走査長との比較を行う。
【００１４】
本実施の形態に係る画像形成装置は、用紙指定変倍機能を備えている。この用紙指定変倍機能とは、指定された用紙のサイズに合わせて原稿画像を縮小／拡大処理して出力させる機能である。
次に、この用紙指定変倍機能を用いて画像形成処理を行う手順について説明する。
図２および図３は、本実施の形態に係る画像形成装置における用紙指定変倍機能を用いて画像形成処理を行う手順を示したフローチャートである。
はじめにユーザは、操作表示部１にてコピーモードの各種設定を行う。
画像形成装置は、用紙指定変倍機能の指定、用紙幅サイズの指定、ロール紙のカット位置の指定、余白指定等を操作表示部１から受け付け、その情報をシステム制御部２０内の記憶領域に格納する。
【００１５】
ここで、ユーザにより指定される各種設定について説明する。
用紙指定変倍機能の指定では、用紙指定変倍機能を用いて画像形成処理を実行するか否か、即ち、用紙指定変倍機能の利用の有無を指定する。
用紙の幅サイズ指定では、当該画像形成装置にセットされている転写紙から、希望するサイズの転写紙を選択するようになっている。
ロール紙のカット位置の指定では、定形サイズの転写紙を希望する場合には、希望する定形サイズを選択する。一方、ロール紙のカット位置を任意の位置に設定する場合には、ロール紙の長さをミリ単位で指定する。
なお、定形サイズやカット位置を任意に指定してロール紙をカットする設定をフリーカット指定（設定）、画像処理された出力画像のサイズ（余白領域を含む）に合わせてロール紙をカットする設定をシンクロカット指定（設定）という。
【００１６】
余白指定では、ロール紙の長さ方向（副走査方向）の両端に設ける余白の長さを指定する。
この余白の指定には、各端部に設ける余白の長さを個々に指定する上下余白指定、両端部に設ける余白の長さの合計を指定する合計余白指定がある。なお、上下余白指定では、上端または下端に設ける余白の指定を、ミリ単位の長さ、または、用紙の長さに対する割合で指定する。但し、画像形成開始位置側を上方向とし、画像形成終了位置側を下方向とする。
なお、本実施の形態に係る画像形成装置では、ロール紙のカット位置の指定においてシンクロカットが指定された場合には、余白指定は長さ指定にのみ制限される。
【００１７】
図４は、上端の余白（上余白）を指定する上余白設定画面の一例を示した図である。
図４に示すように、上余白の設定をする場合には、はじめに、余白の指定（設定）方法が操作表示部１に表示される。
ユーザは、余白をミリ単位の長さで設定する場合には「長さ」を選択する。一方、余白用紙の長さに対する割合で設定する場合には「割合」を選択する。
「長さ」が選択された場合には、操作表示部１に余白の長さを入力する画面が表示される。そして、ユーザは、希望する余白の長さを入力し決定ボタンを押下する。
すると、画像形成装置は、ユーザの入力を受け付け、入力された余白情報をシステム制御部２０内の記憶領域に格納する。
一方、ユーザにより「割合」が選択された場合には、操作表示部１に余白の割合（百分率）を入力する画面が表示される。そして、ユーザは、希望する余白の割合を入力し決定ボタンを押下する。
すると、画像形成装置は、ユーザの入力を受け付け、入力された余白情報をシステム制御部２０内の記憶領域に格納する。
【００１８】
図２の説明に戻り、画像形成装置は、操作表示部１を介して入力された各種設定に関するデータをシステム制御部２０内の記憶領域内に格納し、ユーザによる各種設定（指定）入力を受け付ける（ステップ１１）。
次に、ユーザは、原稿をＡＤＦ（自動原稿送り装置）の挿入口または原稿読み取り部３に設けられたコンタクトガラス上にセットする。
画像形成装置は、原稿がセットされたことを図示しない検知装置で検知し、原稿幅検知部１０でセットされた原稿の幅サイズを検知する（ステップ１２）。ここで検知された原稿の幅サイズの情報は、システム制御部２０内の記憶領域に格納される。
ここでは、原稿の主走査方向を幅方向とし、原稿の副走査方向を長さ方向とする。
【００１９】
続いて、システム制御部２０は、記憶領域に格納されているロール紙のカット位置の指定（設定）に関する情報を読み出し、ロール紙のカット位置の指定がシンクロカット指定であるか否かを判断する（ステップ１３）。
そして、システム制御部２０によりロール紙のカット位置の指定がシンクロカット指定であると判断された場合（ステップ１３；Ｙ）、システム制御部２０は、記憶領域に格納されている用紙指定変倍機能の指定（設定）に関する情報を読み出し、用紙指定変倍機能の指定がされているか否かを判断する（ステップ１４）。
【００２０】
そして、システム制御部２０により用紙指定変倍機能の指定がされていると判断された場合（ステップ１４；Ｙ）、システム制御部２０は、記憶領域に格納されている原稿の幅サイズの情報、および用紙幅サイズ指定で指定（設定）されたロール紙の幅サイズの情報を読み出し、変倍率設定部１５へ転送する。
変倍率設定部１５は、システム制御部２０から転送された原稿の幅サイズの情報およびロール紙の幅サイズの情報に基づいて（比較して）変倍率αを算出する（ステップ１５）。
変倍率αは、ロール紙の幅サイズを原稿の幅サイズで割ることで算出される。即ち、変倍率αは次式で示されるようになっている。
（式１）変倍率α＝ロール紙の幅サイズ／原稿の幅サイズ
変倍率設定部１５で算出された変倍率αの情報は、システム制御部２０内の記憶領域に格納される。
一方、システム制御部２０により用紙指定変倍機能の指定がされていないと判断された場合（ステップ１４；Ｎ）、画像形成装置は、変倍率αの算出処理を実行せずにステップ１６の処理に移行する。
【００２１】
次に、画像形成装置は、原稿読み取り部３で原稿の読み取り処理を実行する（ステップ１６）。ここでは、原稿の読み取り処理と同時に原稿の副走査長の測定が実行される。
原稿搬送部２が原稿の搬送を開始すると、原稿レジスト検知部１２がオン状態となり、原稿読み取り部３による原稿の読み取りが開始される。
原稿読み取り部３は、搬送される原稿を走査して画像情報を読み取り、読み取った画像情報を原稿画像記憶部４に格納する。この原稿読み取り部３における原稿の読み取り処理は、原稿レジスト検知部１２がオフ状態となるまで行われる。
原稿レジスト検知部１２がオフ状態となると、画像形成装置は、原稿の副走査長の測定結果の情報をシステム制御部２０内の記憶領域に格納する。
【００２２】
原稿の読み取り処理が終了した後、システム制御部２０は、原稿画像記憶部４に格納されている原稿画像の情報、および記憶領域に格納されている変倍率αの情報を読み出し、画像処理部６へ転送する。
画像処理部６は、原稿画像の情報および変倍率αの情報に基づいて、出力画像データに展開する画像処理を実行する（ステップ１７）。即ち、画像処理部６において出力画像データを作成する。
画像処理部６で作成された出力画像データは、システム制御部２０内の記憶領域に格納される。
【００２３】
続いて、システム制御部２０は、記憶領域に格納されている余白指定（設定）に関する情報に基づいて、出力用紙の上端側、即ち、画像形成の開始側に余白が存在するか否かを判断する（ステップ１８）。
そして、画像形成の開始側に余白が存在すると判断された場合（ステップ１８；Ｙ）、画像形成装置は、余白指定された長さ分だけロール紙を送る（ステップ１９）。
一方、画像形成の開始側の余白（上余白）が存在しないと判断された場合（ステップ１８；Ｎ）、画像形成装置は、ステップ２０の処理に移行する。
【００２４】
次に、作像部７は、システム制御部２０内の記憶領域に格納されている出力画像データを読み出し、この出力画像を感光体ドラムを媒体にしてロール紙にトナー画像を転写する。そして、定着部９は、ロール紙上のトナー画像を定着する。このように作像部７および定着部９において、印字処理、即ち画像形成処理を実行する（ステップ２０）。
続いて、システム制御部２０は、記憶領域に格納されている余白指定（設定）に関する情報に基づいて、出力用紙の下端側、即ち、画像形成の終了側に余白が存在するか否かを判断する（ステップ２１）。
そして、画像形成の終了側の余白（下余白）が存在すると判断された場合（ステップ２１；Ｙ）、画像形成装置は、余白指定された長さ分だけロール紙を送る（ステップ２２）。
一方、画像形成の終了側の余白（下余白）が存在しないと判断された場合（ステップ２１；Ｎ）、画像形成装置は、ステップ２３の処理に移行する。
【００２５】
最後に、画像形成装置は、ロール紙カット部１４でロール紙を切断し（ステップ２３）、処理を終了する。
本実施の形態では、原稿画像の読み取り処理（ステップ１６）、画像処理（ステップ１７）および印字処理（ステップ２０）を、順に実行するようにしているが、これらの処理を並行して行うようにしてもよい。例えば、原稿画像の一段の主走査が終了する毎に、読み取った画像情報に基づいて画像処理を施して出力画像データを作成し、印字処理する。これらの並行処理は、原稿レジスト検知部１２がオン状態になってからオフ状態になるまで実行される。
なお、このように３つの処理を並行して実行する場合には、原稿の読み取り処理を実行する前に、上余白の処理（ステップ１８およびステップ１９）を行う。
【００２６】
図３の説明に移り、システム制御部２０によりロール紙のカット位置の指定がシンクロカット指定でないと判断された場合（ステップ１３；Ｎ）、システム制御部２０は、ロール紙のカット位置の指定がフリーカット指定であると判断する。
次に、システム制御部２０は、フリーカット指定が定形サイズ（定寸）指定であるか否かを判断する（ステップ３０）。
システム制御部２０によりフリーカット指定が定形サイズ指定であると判断された場合（ステップ３０；Ｙ）、システム制御部２０は、記憶領域に格納されている指定された定形サイズの情報、および用紙幅サイズ指定の情報に基づいて、転写紙（ロール紙）の長さを算出する（ステップ３１）。算出された転写紙（ロール紙）の長さの情報は、記憶領域に格納される。
ここでは、転写紙（ロール紙）の主走査方向を幅方向とし、転写紙（ロール紙）の副走査方向を長さ方向とする。
一方、システム制御部２０によりフリーカット指定が定形サイズ指定でないと判断された場合（ステップ３０；Ｎ）、即ち、ロール紙のカット位置が長さ指定である場合、画像形成装置は、ステップ３２の処理に移行する。
【００２７】
システム制御部２０は、記憶領域に格納されている用紙指定変倍機能の指定（設定）に関する情報を読み出し、用紙指定変倍機能の指定がされているか否かを判断する（ステップ３２）。
そして、システム制御部２０により用紙指定変倍機能の指定がされていると判断された場合（ステップ３２；Ｙ）、システム制御部２０は、記憶領域に格納されている原稿の幅サイズの情報、および用紙幅サイズ指定で指定（設定）されたロール紙の幅サイズの情報を読み出し、変倍率設定部１５へ転送する。
変倍率設定部１５は、システム制御部２０から転送された原稿の幅サイズの情報およびロール紙の幅サイズの情報に基づいて（比較して）変倍率αを算出する（ステップ３３）。
なお、変倍率αの算出処理は、ステップ１４の処理と同様であるため、説明を省略する。
一方、システム制御部２０により用紙指定変倍機能の指定がされていないと判断された場合（ステップ３２；Ｎ）、画像形成装置は、変倍率αの算出処理を実行せずにステップ３４の処理に移行する。
【００２８】
次に、画像形成装置は、原稿読み取り部３で原稿の読み取り処理を実行する（ステップ３４）。ここでは、原稿の読み取り処理と同時に原稿の副走査長の測定が実行される。
原稿搬送部２が原稿の搬送を開始すると、原稿レジスト検知部１２がオン状態となり、原稿読み取り部３による原稿の読み取りが開始される。
原稿読み取り部３は、搬送される原稿を走査して画像情報を読み取り、読み取った画像情報を原稿画像記憶部４に格納する。この原稿読み取り部３における原稿の読み取り処理は、原稿レジスト検知部１２がオフ状態となるまで行われる。
原稿レジスト検知部１２がオフ状態となると、画像形成装置は、原稿の副走査長の測定結果の情報をシステム制御部２０内の記憶領域に格納する。
【００２９】
原稿の読み取り処理が終了した後、システム制御部２０は、原稿画像記憶部４に格納されている原稿画像の情報、および記憶領域に格納されている変倍率αの情報を読み出し、画像処理部６へ転送する。
画像処理部６は、原稿画像の情報および変倍率αの情報に基づいて、出力画像データに展開する画像処理を実行する（ステップ３５）。即ち、画像処理部６において出力画像データを作成する。
画像処理部６で作成された出力画像データは、システム制御部２０内の記憶領域に格納される。
【００３０】
続いて、システム制御部２０は、記憶領域に格納されている余白指定（設定）に関する情報を読み出し、余白指定（設定）がされているか否かを判断する（ステップ３６）。
システム制御部２０により余白指定がされていないと判断された場合（ステップ３６；Ｎ）、システム制御部２０は、原稿の副走査長の測定結果の情報、変倍率αの情報、および転写紙（ロール紙）の長さの情報を転写紙副走査長計算比較部１８に転送する。
そして、転写紙副走査長計算比較部１８は、これらの情報に基づいて、
転写紙の長さ≧原稿の長さ×変倍率α
であるか否かを判断する（ステップ３７）。
一方、システム制御部２０により余白指定がされていると判断された場合（ステップ３６；Ｙ）、システム制御部２０は、原稿の副走査長の測定結果の情報、変倍率αの情報、余白指定（設定）の情報および転写紙（ロール紙）の長さの情報を転写紙副走査長計算比較部１８に転送する。
そして、転写紙副走査長計算比較部１８は、これらの情報に基づいて、
転写紙の長さ≧原稿の長さ×変倍率α＋余白の長さ（全体）
であるか否かを判断する（ステップ５１）。
変倍率設定部１５で算出された変倍率αの情報は、システム制御部２０内の記憶領域に格納される。
【００３１】
そして、転写紙の長さ≧原稿の長さ×変倍率αである場合（ステップ３７；Ｙ）、および転写紙の長さ≧原稿の長さ×変倍率α＋余白の長さである場合（ステップ５１；Ｙ）、続いて、システム制御部２０は、記憶領域に格納されている余白指定（設定）に関する情報に基づいて、出力用紙の上端側、即ち、画像形成の開始側に余白が存在するか否かを判断する（ステップ３８）。
そして、画像形成の開始側の余白（上余白）が存在すると判断された場合（ステップ３８；Ｙ）、
画像形成装置は、余白指定された長さ分ロール紙を送る（ステップ３９）。
一方、画像形成の開始側の余白（上余白）が存在しないと判断された場合（ステップ３８；Ｎ）、画像形成装置は、ステップ４０の処理に移行する。
【００３２】
次に、作像部７は、システム制御部２０内の記憶領域に格納されている出力画像データを読み出し、この出力画像を感光体ドラムを媒体にしてロール紙にトナー画像を転写する。そして、定着部９は、ロール紙上のトナー画像を定着する。このように作像部７および定着部９において、印字処理即ち画像形成処理を実行する（ステップ４０）。
最後に、ロール紙カット部１４は、転写紙（ロール紙）の長さの情報に基づいてロール紙を切断し（ステップ４１）、処理を終了する。
【００３３】
一方、転写紙の長さ≧原稿の長さ×変倍率αでない場合（ステップ３７；Ｎ）、および転写紙の長さ≧原稿の長さ×変倍率α＋余白の長さでない場合（ステップ５１；Ｎ）、続いて、システム制御部２０は、操作表示部１に、用紙サイズが小さすぎる旨のメッセージ（警告）を表示する（ステップ５２）。つまり、出力画像データが転写紙サイズよりも大きいため、画像が欠ける恐れがあることをユーザに通知する。
さらに、システム制御部２０は、操作表示部１に画像形成処理を続行するか否かの選択を促すメッセージを表示する。その後、システム制御部２０は、ユーザからの続行するか否かの指示を受け付ける。
そして、システム制御部２０は、ユーザからの指示に基づいて、画像形成処理を続行するか否かを判断する（ステップ５３）。
【００３４】
システム制御部２０により画像形成処理を続行すると判断された場合（ステップ５３；Ｙ）、画像形成装置はステップ３８の処理に移行し、画像形成処理を続行する。
一方、システム制御部２０により画像形成処理を続行しないと判断された場合（ステップ５３；Ｎ）、画像形成装置は、画像形成処理を中断して処理を終了する。
【００３５】
なお、フリーカット指定された場合においても、シンクロカット指定時と同様に、原稿画像の読み取り処理（ステップ３４）、画像処理（ステップ３５）および印字処理（ステップ４０）の処理を並行して行うようにしてもよい。
この場合には、原稿の長さの測定が終了した時点で、ステップ３７およびステップ５１で行われる転写紙長さと原稿の長さ（＋余白の長さ）との比較を行うようにする。
そして、転写紙の長さ≧原稿の長さ×変倍率αでない場合、および転写紙の長さ≧原稿の長さ×変倍率α＋余白の長さでない場合、原稿が欠ける（画像形成処理が不完全である）旨のメッセージを操作表示部１に表示し、ユーザに通知するようにする。
【００３６】
また、本実施の形態に係るステップ３８の処理において上余白の有無を判断する際に、次のように余白の有無を判断するようにしてもよい。
出力画像データに基づいて算出される出力画像領域の長さと転写紙の長さ情報とを予め比較して、実際に転写紙上に設けられる余白の長さ（転写紙余白長）を算出する。そして転写紙余白長と、余白指定で設定された上余白の長さ（上余白長）とを比較して、
転写紙余白長＞上余白長
である場合に、上余白（画像形成の開始側の余白）が存在すると判断する。
転写紙余白長≦上余白長
である場合に、上余白（画像形成の開始側の余白）が存在しないと判断する。
【００３７】
本実施の形態に係るステップ３９の処理において余白指定された長さ分ロール紙を送る際に、余白指定が割合で指定されている場合には、次のように余白の長さを算出する。
出力画像データに基づいて算出される出力画像領域の長さと転写紙の長さ情報とを予め比較して、実際に転写紙上に設けられる余白の長さ（転写紙余白長）を算出する。
そして、次式を用いて上余白長（画像形成の開始側の余白の長さ）を算出する。
（式２）上余白長＝転写紙余白長×指定割合
なお、これらの余白に関する値の算出は、余白計算部１７において実行する。
【００３８】
本実施の形態によれば、シンクロカット指定の機能を利用することにより、不定形サイズの原稿を読み込ませて転写させた場合であっても、出力画像の下端に不要な余白が設けられたり、出力画像が欠けたり等の不具合を解消することができる。
また、本実施の形態によれば、フリーカット指定の機能を利用することにより、ユーザの希望する長さに転写紙をカット（切断）することができる。
さらに、余白指定の機能を利用することにより、ユーザの希望する印字開始位置を任意に設定することができる。
【００３９】
この他、フリーカット指定の際に余白指定を割合で指定することにより、ユーザは、変倍率を意識することなく余白を適切に設定することができる。また、余白指定を１００％で行うことにより、容易に出力画像の後端（終端）を転写紙の後端（終端）に合わせることができる。
また、転写紙の用紙サイズが出力画像のサイズに対して小さすぎる場合など、用紙サイズの指定（設定）が適切でない場合に、用紙サイズが小さすぎる旨のメッセージ（警告）を表示することにより、ユーザに適切な処置の選択を促すことができる。これにより、画像欠け等のミスプリントの発生を抑制することができる。
【図面の簡単な説明】
【００４０】
【図１】本発明の実施の形態に係る画像形成装置の構成を示したブロック図である。
【図２】本実施の形態に係る画像形成装置における用紙指定変倍機能を用いて画像形成処理を行う手順を示したフローチャートである。
【図３】本実施の形態に係る画像形成装置における用紙指定変倍機能を用いて画像形成処理を行う手順を示したフローチャートである。
【図４】上端の余白（上余白）を指定する上余白設定画面の一例を示した図である。
【符号の説明】
【００４１】
１  操作表示部
２  原稿搬送部
３  原稿読み取り部
４  原稿画像記憶部
５  転写紙搬送部
６  画像処理部
７  作像部
８  転写紙選択部
９  定着部
１０  原稿幅検知部
１１  転写紙幅検知部
１２  原稿レジスト検知部
１３  転写紙長検知部
１４  ロール紙カット部
１５  変倍率設定部
１６  上余白設定部
１７  余白計算部
１８  転写紙副走査長計算比較部
２０  システム制御部
【図１】
2006072113.tif 000003
【図２】
2006072113.tif 000004
【図３】
2006072113.tif 000005
【図４】
2006072113.tif 000006